(57)【要約】【課題】高い表示品質を得ることができる駆動回路、駆動方法、及び表示装置を提供すること。【解決手段】本発明の一態様に係る駆動回路５は、階調データに応じて正極階調電圧及び負極階調電圧を選択するＰＤＡＣ４１及びＮＤＡＣ４２と、正極Ａｍｐ４３及び負極Ａｍｐ４４と、正極Ａｍｐ４３及び負極Ａｍｐ４４の出力を反転させる出力選択スイッチＳＷ４５と、切替期間において、アンプ出力とデータ線とが非接続となるように切り替える出力スイッチＳＷ４６と、切替期間において、データ線２，３をショートするチャージシェアスイッチＳＷ４７と、切替期間に、アンプ入力を表示用の階調データに対応する階調電圧に依存しない固定電圧とするデータ選択回路ＳＥＬ４８，４９とを備えている。【選択図】図２
2012008197.tif 000002
【特許請求の範囲】
【請求項１】
表示パネルに設けられた複数のデータ線に階調電圧を供給する駆動回路であって、
階調データに応じて正極階調電圧を選択する正極ＤＡＣ回路と、
階調データに応じて負極階調電圧を選択する負極ＤＡＣ回路と、
前記正極ＤＡＣ回路と前記負極ＤＡＣ回路のそれぞれに接続されたアンプ回路と、
第１のデータ線群に正極階調電圧を供給し第２のデータ線群に負極階調電圧を供給する第１の動作と、第２のデータ線群に正極階調電圧を供給し第１のデータ線群に負極階調電圧を供給する第２の動作と、を切り替える正負反転回路と、
前記第１の動作と前記第２の動作の切替期間において、前記アンプ回路からのアンプ出力と前記データ線とが非接続となるように切り替えるアンプ出力遮断回路と、
前記切替期間において、前記第１のデータ線群のデータ線と第２のデータ線群のデータ線をショートするチャージシェア回路と、
前記切替期間に、前記アンプ回路の入力を表示用の階調データに対応する階調電圧に依存しない固定電圧とするアンプ入力切替回路と、
を備える駆動回路。
【請求項２】
前記固定電圧が、チャージシェア電圧、又は階調電圧範囲の中である電圧よりも前記チャージシェア電圧に近い電圧であることを特徴とする請求項１に記載の駆動回路。
【請求項３】
前記アンプ入力切替回路に、前記固定電圧に対応するチャージシェア階調データと、前記階調データと、が入力され、
前記切替期間において、前記アンプ入力切替回路が、前記チャージシェア階調データを選択して、前記正極及び負極ＤＡＣ回路に出力することによって、前記アンプ回路に固定電圧が入力される請求項１、又は２に記載の駆動回路。
【請求項４】
前記固定電圧が、ＭＳＢ、又はＬＳＢに対応する階調電圧であることを特徴とする請求項１乃至３のいずれか１項に記載の駆動回路。
【請求項５】
前記アンプ入力切替回路に、前記正極及び負極ＤＡＣ回路のＤＡＣ出力と、前記固定電圧とが入力され、
前記切替期間において、前記アンプ入力切替回路が、前記固定電圧を選択して、前記アンプ回路に出力する請求項１、又は２に記載の駆動回路。
【請求項６】
表示用の前記階調データに対応する階調電圧が、階調電圧範囲に含まれる所定のしきい値電圧よりもチャージシェア電圧に近くなる場合に、前記アンプ回路に前記表示用の前記階調データに対応する階調電圧が入力され、
表示用の前記階調データに対応する階調電圧が、階調電圧範囲に含まれる所定のしきい値電圧よりもチャージシェア電圧と離れている場合に、前記切替期間に前記アンプ回路に前記固定電圧が入力される請求項１乃至５のいずれか１項に記載の駆動回路。
【請求項７】
請求項１乃至６のいずれか１項に記載の駆動回路と、
前記駆動回路から前記階調電圧が供給されるデータ線を有する表示パネルと、を備える表示装置。
【請求項８】
表示パネルに設けられた複数のデータ線に階調電圧を供給する駆動方法であって、
第１のデータ線群に正極階調電圧を供給し第２のデータ線群に負極階調電圧を供給する第１の動作と、第２のデータ線群に正極階調電圧を供給し第１のデータ線群に負極階調電圧を供給する第２の動作とを交互に行い、
前記第１の動作と前記第２の動作の切替期間において、前記データ線に前記正極階調電圧と負極階調電圧を供給するアンプ回路からのアンプ出力と前記データ線とが非接続となるように切り替え、
前記切替期間において、前記第１のデータ線群のデータ線と第２のデータ線群のデータ線をショートし、
前記切替期間に、前記データ線に前記正極階調電圧と負極階調電圧を供給するアンプ回路の入力を表示用の階調データに対応する階調電圧に依存しない固定電圧とする駆動方法。
【請求項９】
前記固定電圧が、チャージシェア電圧、又は全階調電圧範囲の中である電圧よりも前記チャージシェア電圧に近い電圧であることを特徴とする請求項８に記載の駆動方法。
【請求項１０】
前記第１の動作と第２の動作では、表示用の階調データに基づいて、正極ＤＡＣ及び負極ＤＡＣが前記正極階調電圧及び負極階調電圧をそれぞれ選択し、
前記切替期間では、チャージシェア階調データを選択して、前記正極及び負極ＤＡＣに出力することによって、前記アンプ回路に固定電圧が入力される請求項８、又は９に記載の駆動方法。
【請求項１１】
前記固定電圧が、ＭＳＢ、又はＬＳＢに対応する階調電圧であることを特徴とする請求項８乃至９のいずれか１項に記載の駆動方法。
【請求項１２】
前記第１の動作と第２の動作では、表示用の階調データに基づいて、正極ＤＡＣ及び負極ＤＡＣが前記正極階調電圧及び負極階調電圧をそれぞれ選択し、
前記正極及び負極ＤＡＣ回路のＤＡＣ出力と、前記固定電圧と、が入力されたアンプ入力切替回路が、前記切替期間では、前記固定電圧を選択して、前記アンプ回路に出力する請求項８、又は９に記載の駆動方法。
【請求項１３】
表示用の前記階調データに対応する階調電圧が、階調電圧範囲に含まれる所定のしきい値電圧よりもチャージシェア電圧に近くなる場合に、前記アンプ回路に前記表示用の前記階調データに対応する階調電圧が入力され、
表示用の前記階調データに対応する階調電圧が、階調電圧範囲に含まれる所定のしきい値電圧よりもチャージシェア電圧と離れている場合に、前記切替期間に前記アンプ回路に前記固定電圧が入力される請求項８乃至１２のいずれか１項に記載の駆動方法。
【発明の詳細な説明】
【技術分野】
【０００１】
本発明は、駆動回路、駆動方法、及び表示装置に関し、特に詳しくは、表示パネルに階調電圧を供給する駆動回路、及び駆動方法、並びにそれを用いた表示装置に関する。
【背景技術】
【０００２】
現在、大型液晶パネルはＨＤ（Ｈｉｇｈ  Ｄｅｆｉｎｉｔｉｏｎ）などの高精細化、倍速フレーム駆動等の動画高画質化対応が進んでいる。このような理由から液晶パネルに割り当てられる１水平表示期間は短くなっている。つまり、液晶の書き込み期間が短くなっている。そのような中で、表示ドライバ（駆動回路）には、スルーレートの高速化が求められている。また、画質に関する要求レベルも向上しており、縦縞や輝度差を生じない表示ドライバが求められている。
【先行技術文献】
【特許文献】
【０００３】
【特許文献１】特開２００７−０５２３９６号公報
【発明の概要】
【発明が解決しようとする課題】
【０００４】
特許文献１に記載された駆動回路の一例について図１０、図１１を用いて説明する。図１０は、特許文献１の図４に示されている回路に相当する図である。図１１は、駆動回路の動作波形を示している。図１０に示すように、駆動回路５は、正極ＤＡＣ（以下、ＰＤＡＣ）１１、負極ＤＡＣ（以下、ＮＤＡＣ）１２、正極Ａｍｐ１３、負極Ａｍｐ１４、出力選択スイッチＳＷ１５、出力スイッチＳＷ１６、チャージシェアスイッチＳＷ１７を有している。
【０００５】
また、図１０、及び図１１では、タイミングコントローラから供給される極性反転信号をＰＯＬとし、データ出力タイミング信号をＳＴＢとして示している。図１０では、出力選択スイッチＳＷ１５が極性反転信号ＰＯＬ＝Ｈの状態で、かつ出力スイッチＳＷ１６、及びチャージシェアスイッチＳＷ１７がデータ出力タイミング信号ＳＴＢ＝Ｌの状態での構成を示している。データ出力タイミング信号ＳＴＢは、水平同期信号Ｈｓｙｎｃに同期している。ここで、極性反転信号ＰＯＬ＝Ｈ、データ出力タイミング信号ＳＴＢ＝Ｈの時を考える。
【０００６】
ＰＤＡＣ１１とＮＤＡＣ１２により階調データＤＰ［５：０］及び階調データＤＮ［５：０］に応じた階調電圧ＶＰ０〜ＶＰ６３、ＶＮ０〜ＶＮ６３が選択される。そして、ＰＤＡＣ１１とＮＤＡＣ１２によって選択された階調電圧ＶＰ０〜ＶＰ６３、ＶＮ０〜ＶＮ６３はそれぞれ正極Ａｍｐ１３，負極Ａｍｐ１４に入力される。極性反転信号ＰＯＬ＝Ｈのとき、出力選択スイッチＳＷ１５によって、正極Ａｍｐ１３の出力は偶数出力Ｓｎ側に、負極Ａｍｐ１４の出力は奇数出力Ｓｎ＋１側に接続される。データ出力タイミング信号ＳＴＢ＝Ｈのとき、出力スイッチＳＷ１６はＯＦＦ、チャージシェアスイッチＳＷ１７はＯＮとなり、チャージシェア期間となる。このとき、正極Ａｍｐ１３、負極Ａｍｐ１４の出力は、ＰＤＡＣ１１、ＮＤＡＣ１２により選択された任意の階調電圧に遷移する。
【０００７】
一方、偶数出力Ｓｎ及び奇数出力Ｓｎ＋１はショートされ、ともに共通線６に接続される。これにより、偶数出力Ｓｎ、奇数出力Ｓｎ＋１はチャージシェア電圧（電源電圧ＶＤＤ２の１／２）となる。このときの電圧は、図１１の期間１のようになる。すなわち、正極Ａｍｐ１３の出力と偶数出力Ｓｎの電圧に差が生じ、負極Ａｍｐ１４の出力と奇数出力Ｓｎ＋１の電圧に差が生じる
【０００８】
次に、極性反転信号ＰＯＬ＝Ｈ、データ出力タイミング信号ＳＴＢ＝Ｌに変化したタイミングを考える。出力スイッチＳＷ１６はＯＮとなり、チャージシェアスイッチＳＷ１７はＯＦＦとなる。よって、出力スイッチＳＷ１６を介して、正極Ａｍｐ１３は偶数出力Ｓｎに、負極Ａｍｐ１４は奇数出力Ｓｎ＋１に接続される。正極Ａｍｐ１３により偶数出力Ｓｎの負荷の充電が急速に行われる。そして、正極Ａｍｐ１３の出力電圧まで偶数出力Ｓｎの電圧が引き上げられる。同様に、負極Ａｍｐ１４により奇数出力Ｓｎ＋１の負荷の放電が急速に行われる。そして、負極Ａｍｐ１４の出力電圧まで奇数出力Ｓｎ＋１の電圧が引き下げられる。このときの状態は、図１１の期間２のようになる。
【０００９】
さらに、別の駆動回路について図１２、及び図１３を用いて説明する。図１２は、特許文献１の図１に示されている回路に相当する図である。図１３は、図１２の回路の動作波形を示している。駆動回路５は、正極ＤＡＣ（以下、ＰＤＡＣ）２１、負極ＤＡＣ（以下、ＮＤＡＣ）２２、偶数用Ａｍｐ２３、奇数用Ａｍｐ２４、アンプ入力選択スイッチＳＷ２５、出力スイッチＳＷ２６、チャージシェアスイッチＳＷ２７を有している。
【００１０】
極性反転信号ＰＯＬ＝Ｈ、データ出力タイミング信号ＳＴＢ＝Ｈの時を考える。ＰＤＡＣ２１とＮＤＡＣ２２により階調データＤＰ［５：０］及び階調データＤＮ［５：０］に応じた階調電圧ＶＰ０〜ＶＰ６３、ＶＮ０〜ＶＮ６３が選択される。極性反転信号ＰＯＬ＝Ｈのとき、ＰＤＡＣ２１の出力は、偶数用Ａｍｐ２３に入力され、ＮＤＡＣ２１の出力は、奇数用Ａｍｐ２４に入力される。このとき、偶数用Ａｍｐ２３、奇数用Ａｍｐ２４の出力は、ＰＤＡＣ２１、ＮＤＡＣ２２により選択された任意の階調電圧に遷移する。
【００１１】
一方、偶数出力Ｓｎ及び奇数出力Ｓｎ＋１は、ショートされ、ともに共通線６に接続される。これにより、偶数出力Ｓｎ及び奇数出力Ｓｎ＋１は、チャージシェア電圧（電源電圧ＶＤＤ２の１／２）となる。このときの状態は、図１３の期間１のようになり、偶数用Ａｍｐ２３の出力電圧と偶数出力Ｓｎの電圧に差が生じ、奇数用Ａｍｐ２４の出力電圧と奇数出力Ｓｎ＋１の電圧に差が生じる。
【００１２】
次に、極性反転信号ＰＯＬ＝Ｈ、データ出力タイミング信号ＳＴＢ＝Ｌに変化した時を考える。出力スイッチＳＷ２６はＯＮとなり、チャージシェアスイッチＳＷ２７はＯＦＦとなる。そして、出力スイッチＳＷ２６を介して、偶数用Ａｍｐ２３の出力は、偶数出力Ｓｎに接続され、奇数用Ａｍｐ２４は奇数出力Ｓｎ＋１に接続される。その後、偶数用Ａｍｐ２３の出力電圧まで偶数出力Ｓｎの電圧が引き上げられる。同様に、奇数用Ａｍｐ１４の出力電圧まで奇数出力Ｓｎ＋１の電圧が引き下げられる。このときの状態は、図１３の期間２のようになる。
【００１３】
以上のように、特許文献１の駆動方法では、チャージシェア期間中（図１１、図１３の期間１）に、アンプ出力電圧と駆動回路５の出力電圧に差が生じる。チャージシェア期間終了時に、この電圧差によって負荷への急速な充放電が行われる。従って、図１４に示すように、大きなラッシュ電流が流れてしまう。このため、電源電圧ＶＤＤ２、ＶＳＳ２や液晶パネル１の対向電極電圧ＶＣＯＭが大きく変動して、表示画質に劣化が生じる恐れがある。
【課題を解決するための手段】
【００１４】
本発明の一態様による駆動回路は、表示パネルに設けられた複数のデータ線に階調電圧を供給する駆動回路であって、階調データに応じて正極階調電圧を選択する正極ＤＡＣ回路と、階調データに応じて負極階調電圧を選択する負極ＤＡＣ回路と、前記正極ＤＡＣ回路と前記負極ＤＡＣ回路のそれぞれに接続されたアンプ回路と、第１のデータ線群に正極階調電圧を供給し第２のデータ線群に負極階調電圧を供給する第１の動作と、第２のデータ線群に正極階調電圧を供給し第１のデータ線群に負極階調電圧を供給する第２の動作と、を切り替える正負反転回路と、前記第１の動作と前記第２の動作の切替期間において、前記アンプ回路からのアンプ出力と前記データ線とが非接続となるように切り替えるアンプ出力遮断回路と、前記切替期間において、前記第１のデータ線群のデータ線と第２のデータ線群のデータ線をショートするチャージシェア回路と、前記切替期間に、前記アンプ回路の入力を表示用の階調データに対応する階調電圧に依存しない固定電圧とするアンプ入力切替回路とを備えるものである。
【００１５】
本発明の一態様による駆動方法は、表示パネルに設けられた複数のデータ線に階調電圧を供給する駆動方法であって、第１のデータ線群に正極階調電圧を供給し第２のデータ線群に負極階調電圧を供給する第１の動作と、第２のデータ線群に正極階調電圧を供給し第１のデータ線群に負極階調電圧を供給する第２の動作とを交互に行い、前記第１の動作と前記第２の動作の切替期間において、前記データ線に前記正極階調電圧と負極階調電圧を供給するアンプ回路からのアンプ出力と前記データ線とが非接続となるように切り替え、前記切替期間において、前記第１のデータ線群のデータ線と第２のデータ線群のデータ線をショートし、前記切替期間に、前記データ線に前記正極階調電圧と負極階調電圧を供給するアンプ回路の入力を表示用の階調データに対応する階調電圧に依存しない固定電圧とするものである。
【発明の効果】
【００１６】
本発明によれば、高い表示画質を得ることができる駆動回路、駆動方法、及び表示装置を提供することができる。
【図面の簡単な説明】
【００１７】
【図１】本発明の実施形態にかかる駆動回路の動作波形を示すタイミングチャートである。
【図２】本発明の実施形態１にかかる駆動回路の構成を模式的に示す図である。
【図３】本発明の実施形態１にかかる駆動回路の動作波形を示すタイミングチャートである。
【図４】本発明の実施形態１にかかる駆動回路の電源電圧と電源電流の波形を示すタイミングチャートである。
【図５】本発明の実施形態２にかかる駆動回路の構成を模式的に示す図である。
【図６】本発明の実施形態２にかかる駆動回路の動作波形を示すタイミングチャートである。
【図７】本発明の実施形態３にかかる駆動回路の構成を模式的に示す図である。
【図８】本発明の実施形態４にかかる駆動回路の構成を模式的に示す図である。
【図９】本発明の実施形態５にかかる駆動回路の動作波形を示すタイミングチャートである。
【図１０】特許文献１に記載された駆動回路の構成を模式的に示す図である。
【図１１】特許文献１に記載された駆動回路の動作波形を示すタイミングチャートである。
【図１２】特許文献１に記載された駆動回路の別の構成を模式的に示す図である。
【図１３】特許文献１に記載された駆動回路の別の動作波形を示すタイミングチャートである。
【図１４】特許文献１に記載された駆動回路の電源電圧波形を示すタイミングチャートである。
【発明を実施するための形態】
【００１８】
以下、本発明を適用した具体的な実施の形態について、図面を参照しながら詳細に説明する。ただし、本発明が以下の実施の形態に限定される訳ではない。また、説明を明確にするため、以下の記載及び図面は、適宜、簡略化されている。
【００１９】
本発明の実施形態にかかる駆動回路は、正極ＤＡＣ回路と、負極ＤＡＣ回路と、アンプ回路と、正負反転回路と、アンプ出力遮断回路と、チャージシェア回路と、アンプ入力切替回路と、備えている。
【００２０】
正極ＤＡＣ回路は、階調データに応じて正極階調電圧を選択する。負極ＤＡＣ回路は、階調データに応じて負極階調電圧を選択する。アンプ回路は、正極ＤＡＣ回路と負極ＤＡＣ回路のそれぞれに接続されている。正負反転回路は、第１のデータ線群に正極階調電圧を供給し第２のデータ線群に負極階調電圧を供給する第１の動作と、第２のデータ線群に正極階調電圧を供給し第１のデータ線群に負極階調電圧を供給する第２の動作と、を切り替える。アンプ出力遮断回路は、第１の動作と第２の動作の切替期間において、アンプ回路からのアンプ出力とデータ線とが非接続となるように切り替える。チャージシェア回路は、切替期間において、第１のデータ線群のデータ線と第２のデータ線群のデータ線をショートし、かつ共通線に接続することによって電荷を回収する。すなわち、２つのデータ線２，３に蓄積していた電荷がシェアされる。アンプ入力切替回路は、切替期間に、前記アンプ回路の入力を表示用の階調データに対応する階調電圧に依存しない固定電圧とする。なお、固定電圧は、次に表示を行うための表示用の階調データに対応する階調電圧に依存しない電圧である。固定電圧は、チャージシェア電圧、又は全階調電圧範囲の中である電圧よりもチャージシェア電圧に近い階調電圧であることが好ましい。さらには、固定電圧を全階調電圧範囲のうち、ＭＳＢ、又はＬＳＢに対応する階調電圧で固定することもできる。
なお、チャージシェア回路には公知のように多くの種類、方法がある。この実施形態では特許文献１に合わせて、第１のデータ線群のデータ線と第２のデータ線群のデータ線をショートし、かつ共通線に接続するとしている。しかし、最終的に正極にチャージされたデータ線と負極にチャージされたデータ線をショートする回路であれば、どのような種類、方法のチャージシェア回路に対しても同様の効果をもたらすことは明らかである。  
【００２１】
これにより、ラッシュ電流を抑制し、電源電圧や対向電極電圧ＶＣＯＭの変動を低減することができる。よって、表示画質の劣化を低減することができる。すなわち、本実施形態にかかる駆動方法では、チャージシェア期間において、アンプ入力を固定電圧にしている。この固定電圧をチャージシェア電圧（ＶＤＤ２／２）、又はそれに近い電圧とすることが望ましい。上記の構成によって、図１に示すような動作波形を実現することができる。チャージシェア期間（期間１）において、正極Ａｍｐ出力が偶数出力Ｓｎに近くなり、負極Ａｍｐ出力が奇数出力Ｓｎ＋１に近くなる。よって、チャージシェア期間終了時（期間１から期間２に切り替わるタイミング）での、電源電圧やＶＣＯＭの変動を抑制することができる。なお、図１では、ＳＴＢはデータ出力タイミング信号を示し、ＰＯＬは、極性反転信号を示している。データ出力タイミング信号ＳＴＢは、水平同期信号Ｈｓｙｎｃに同期している。
【００２２】
実施の形態１．
本実施形態にかかる駆動回路について、図２を用いて説明する。図２は、表示装置の構成を示す図である。本実施形態にかかる駆動回路５は、表示パネルである液晶パネル１に階調電圧を供給する回路である。液晶パネル１には、複数のデータ線が設けられている。図２では、複数のデータ線が簡略化され、２本のデータ線２，３のみが示されている。ここでは、データ線２とデータ線３は隣り合うデータ線である。そして、データ線２は偶数本目のグループに含まれるデータ線であり、データ線３は、奇数本目のグループに含まれるデータ線である。駆動回路５の出力端子のうち、データ線２に接続される偶数出力をＳｎとし、データ線３に接続される奇数出力をＳｎ＋１として説明する。すなわち、データ線２は負荷を介して偶数出力Ｓｎに接続され、データ線３は負荷を介して奇数出力Ｓｎ＋１に接続されている。
【００２３】
駆動回路５は、例えば、液晶パネル１をカラム毎に反転駆動する。これにより、液晶画素の焼きつきを防ぐことができ、液晶表示装置の寿命を長くすることができる。例えば、単純ドット反転の、あるフレームでは、偶数ラインにおいて、偶数出力Ｓｎに正極の階調電圧が供給され、奇数出力Ｓｎ＋１に負極の階調電圧が供給される。奇数ラインにおいて、偶数出力Ｓｎに負極の階調電圧が供給され、奇数出力Ｓｎ＋１に正極の階調電圧が供給される。次のフレームでは、同じ画素の極性が逆になるようにする。そして、この階調電圧に応じて、液晶パネルの液晶が動作して、所望の画像が表示される。
【００２４】
図２では、タイミングコントローラから供給される極性反転信号、及びデータ出力タイミング信号をそれぞれ、ＰＯＬ、ＳＴＢとして示している。極性反転信号ＰＯＬに応じて、反転駆動における各ラインの極性が決まる。例えば、極性反転信号ＰＯＬ＝Ｈのとき、偶数出力Ｓｎが正極性となり、奇数出力Ｓｎ＋１が負極性となる。また、極性反転信号ＰＯＬ＝Ｌのとき、偶数出力Ｓｎが負極性となり、奇数出力Ｓｎ＋１が正極性となる。また、データ出力タイミング信号ＳＴＢに応じて、チャージシェアが行われる。１水平期間において、データ出力タイミング信号ＳＴＢ＝Ｈのとき、チャージシェア期間となり、データ出力タイミング信号ＳＴＢ＝Ｌのとき、任意の階調電圧であるデータ信号（駆動電圧）が出力される期間となる。データ出力タイミング信号ＳＴＢは、水平同期信号Ｈｓｙｎｃに同期して、タイミングコントローラで作成され、ドライバに供給される。
【００２５】
駆動回路５は、正極ＤＡＣ（以下、ＰＤＡＣ）４１、負極ＤＡＣ（以下、ＮＤＡＣ）４２、正極Ａｍｐ（アンプ）４３、負極Ａｍｐ（アンプ）４４、正負反転回路（出力選択スイッチＳＷ４５）、アンプ出力遮断回路（出力スイッチＳＷ４６）、チャージシェア回路（チャージシェアスイッチＳＷ４７）、正極、負極それぞれのアンプ入力切替回路（データ選択回路ＳＥＬ４８、データ選択回路ＳＥＬ４９）を有している。駆動回路５は、図１０で示した回路構成に対して、データ選択回路ＳＥＬ４８、及びデータ選択回路ＳＥＬ４９が追加された構成となっている。
【００２６】
データ選択回路ＳＥＬ４８には、例えば、タイミングコントローラから階調データＤＰ［５：０］及びチャージシェア階調データＤＰｃｓ［５：０］が入力される。階調データＤＰ［５：０］及びチャージシェア階調データＤＰｃｓ［５：０］は６ビットのデジタルデータである。階調データＤＰは、所望の画像を表示するための階調データである。正極のチャージシェア階調データＤＰｃｓ［５：０］は、チャージシェア電圧に最も近い電圧となる正極データである。データ選択回路ＳＥＬ４８には、データ出力タイミング信号ＳＴＢが入力されている。データ選択回路ＳＥＬ４８は、データ出力タイミング信号ＳＴＢに応じて、出力するデータを切り替える。例えば、データ出力タイミング信号ＳＴＢ＝Ｈのとき、データ選択回路ＳＥＬ４８はチャージシェア階調データＤＰｃｓ［５：０］をＰＤＡＣ４１に出力する。データ出力タイミング信号ＳＴＢ＝Ｌのとき、データ選択回路ＳＥＬ４８は階調データＤＰ［５：０］をＰＤＡＣ４１に出力する。
【００２７】
データ選択回路ＳＥＬ４９には、同様に、階調データＤＮ［５：０］及びチャージシェア階調データＤＮｃｓ［５：０］が入力される。階調データＤＮ［５：０］及びチャージシェア階調データＤＮｃｓ［５：０］は６ビットのデジタルデータである。階調データＤＮは、所望の画像を表示するための階調データである。負極のチャージシェア階調データＤＮｃｓ［５：０］は、チャージシェア電圧に最も近い電圧となる負極データである。データ選択回路ＳＥＬ４９には、データ出力タイミング信号ＳＴＢが入力されている。データ選択回路ＳＥＬ４９は、データ出力タイミング信号ＳＴＢに応じて、出力するデータを切り替える。例えば、データ出力タイミング信号ＳＴＢ＝Ｈのとき、データ選択回路ＳＥＬ４９はチャージシェア階調データＤＮｃｓ［５：０］をＮＤＡＣ４２に出力する。データ出力タイミング信号ＳＴＢ＝Ｌのとき、データ選択回路ＳＥＬ４９は階調データＤＮ［５：０］をＮＤＡＣ４２に出力する。
【００２８】
ノーマリーホワイト（例えば、ＶＡ液晶、ＳＴＮ液晶）の液晶パネル１では、正極のチャージシェア階調データＤＰｃｓ［５：０］、及び負極のチャージシェア階調データＤＮｃｓ［５：０］として、最高階調（ＭＳＢ：Ｍｏｓｔ  Ｓｉｇｎｉｆｉｃａｎｔ  Ｂｉｔ）のデータを用いることができる。また、ノーマリーブラック（例えば、ＩＰＳ液晶）の液晶パネル１では、正極のチャージシェア階調データＤＰｃｓ［５：０］、及び負極のチャージシェア階調データＤＮｃｓ［５：０］として、最低階調（ＬＳＢ：Ｌｅａｓｔ  Ｓｉｇｎｉｆｉｃａｎｔ  Ｂｉｔ）のデータを用いることができる。なお、６ビット駆動の場合、ＭＳＢ＝１１１１１１であり、ＬＳＢ＝００００００である。ＭＳＢ、又はＬＳＢとすることで、階調電圧範囲の中で、チャージシェア電圧（ＶＤＤ２の１／２）に最も近い階調電圧を選択することができる。チャージシェア電圧が、正極の階調電圧範囲と負極の階調電圧範囲の間にある場合、チャージシェア階調データをＭＳＢ、又はＬＳＢとする。また、正極の階調電圧範囲と負極の階調電圧範囲とが一部重複している場合、チャージシェア階調データを重複範囲内のデータとする。
【００２９】
ＰＤＡＣ４１には、正極の階調電圧ＶＰ０〜ＶＰ６３が入力されている。ＰＤＡＣ４１は、データ選択回路ＳＥＬ４８から入力されたデータに応じて、任意の階調電圧を選択する。すなわち、階調データＤＰ［５：０］に応じて、選択された１つの階調電圧ＶＰが表示を行うためのデータ信号となる。同様に、ＮＤＡＣ４２には、負極の階調電圧ＶＮ０〜ＶＮ６３が入力されている。ＮＤＡＣ４２は、データ選択回路ＳＥＬ４９から入力されたデータに応じて、任意の階調電圧を選択する。すなわ、階調データＤＮ［５：０］に応じて、選択された１つの階調電圧ＶＮが表示を行うためのデータ信号となる。
【００３０】
ＰＤＡＣ４１から出力された階調電圧は、正極Ａｍｐ４３に入力される。ＮＤＡＣ４２から出力された階調電圧は、負極Ａｍｐ４４に入力される。正極Ａｍｐ４３、負極Ａｍｐ４４は入力された階調電圧をインピーダンス変換して、出力する。これにより、正極Ａｍｐ４３から正極性の電位を有するデータ信号が出力され、負極Ａｍｐ４４から負極性の電位を有するデータ信号が出力される。このデータ信号によって、データ線２，３が駆動される。なお、本実施形態では、正極Ａｍｐ４３及び負極Ａｍｐ４４は電源電圧ＶＤＤ２で動作するアンプ回路である。
【００３１】
正極Ａｍｐ４３、及び負極Ａｍｐ４４の出力は、出力選択スイッチＳＷ４５に接続されている。出力選択スイッチＳＷ４５は、複数のスイッチを有する回路であり、極性反転信号ＰＯＬに応じて、アンプ出力の選択先を切り替える。すなわち、極性反転信号ＰＯＬ＝Ｈの時、正極Ａｍｐ４３の出力を偶数出力Ｓｎと接続し、かつ負極Ａｍｐ４４の出力を奇数出力Ｓｎ＋１と接続する。極性反転信号ＰＯＬ＝Ｌの時、負極Ａｍｐ４４の出力を偶数出力Ｓｎと接続し、かつ正極Ａｍｐ４３の出力を奇数出力Ｓｎ＋１と接続する。
【００３２】
出力選択スイッチＳＷ４５の出力側には、出力スイッチＳＷ４６が配置されている。出力スイッチＳＷ４６は、複数のスイッチを有する回路であり、データ出力タイミング信号ＳＴＢに応じて、アンプ出力とデータ線との接続／非接続を切り替える。例えば、データ出力タイミング信号ＳＴＢ＝Ｈのとき、複数のスイッチをＯＦＦする。これにより、出力選択スイッチＳＷ４５が偶数出力Ｓｎ及び奇数出力Ｓｎ＋１から切り離される。データ出力タイミング信号ＳＴＢ＝Ｌのとき、複数のスイッチをＯＮする。これにより、出力選択スイッチＳＷ４５が、出力スイッチＳＷ４６を介して、偶数出力Ｓｎ及び奇数出力Ｓｎ＋１と接続される。
【００３３】
出力スイッチＳＷ４６の出力側には、チャージシェアスイッチＳＷ４７が接続されている。チャージシェアスイッチＳＷ４７は、複数のスイッチを有する回路であり、データ出力タイミング信号ＳＴＢに応じて、チャージシェアを行う。チャージシェアとは、ある水平期間において液晶パネルの負荷が接続された液晶パネル１のあるデータ線の極性が、例えば正極から負極に変わる前に、その正極の電荷と、他のデータ線にたまった負極の電荷とをショート（チャージシェア：チャージシェアリング（Ｃｈａｒｇｅ  Ｓｈａｒｉｎｇ））するものである。こうすることで、電源からの電力を使用せずに両方のデータ線を期待値としてＶｃｏｍ付近の電圧にプリチャージすることができる。よって、省電力化を実現することができる。
【００３４】
具体的には、データ出力タイミング信号ＳＴＢ＝Ｈの時、チャージシェアスイッチＳＷ４７が、スイッチＯＮして、偶数出力Ｓｎと奇数出力Ｓｎ＋１とをショートさせるとともに偶数出力Ｓｎと奇数出力Ｓｎ＋１を共通線６に接続する。これにより、偶数出力Ｓｎと奇数出力Ｓｎ＋１がチャージシェア電圧（期待値として電源電圧ＶＤＤ２の１／２）となり、チャージシェアが行われる。なお、チャージシェア電圧は、一定の電圧であり、対向電極電圧ＶＣＯＭと同じでもよく、異なっていてもよい。
【００３５】
データ出力タイミング信号ＳＴＢ＝Ｌの時、チャージシェアスイッチＳＷ４７は、スイッチをＯＦＦして、偶数出力Ｓｎと奇数出力Ｓｎ＋１と共通線６とを切り離す。このとき、出力スイッチＳＷ４６はＯＮしているので、出力選択スイッチＳＷ４５と出力スイッチＳＷ４６とを介して、偶数出力Ｓｎ、及び奇数出力Ｓｎ＋１にはアンプ出力が、接続される。階調電圧であるデータ信号がデータ線２、３に供給される。
【００３６】
次に、図２の駆動回路５の動作について、図３を用いて説明する。図３は、駆動回路５の動作波形を示すタイミングチャートである。なお、パルス信号であるデータ出力タイミング信号ＳＴＢの立ち上がりから、次のデータ出力タイミング信号ＳＴＢの立ち上がりまでの期間が１水平期間である。１つのデータ出力タイミング信号ＳＴＢの立ち上がりから立ち下がりまでの期間がチャージシェア動作期間である。１水平期間の初めに、即ち、水平期間の切り替わりの直後にチャージシェア期間（図３の期間１）が設けられている。
【００３７】
極性反転信号ＰＯＬ＝Ｈ、データ出力タイミング信号ＳＴＢ＝Ｈの時（期間１）を考える。データ選択回路ＳＥＬ４８は、チャージシェア階調データＤＰｃｓを選択し、ＰＤＡＣ４１に出力する。ＰＤＡＣ４１は、チャージシェア階調データＤＰｃｓに応じた階調電圧を出力する。データ選択回路ＳＥＬ４９は、チャージシェア階調データＤＮｃｓを選択し、ＮＤＡＣ４２に出力する。ＮＤＡＣ４２は、チャージシェア階調データＤＮｃｓに応じた階調電圧を出力する。チャージシェア階調データＤＰｃｓ、ＤＮｃｓは、それぞれの極性の全階調電圧範囲の中でチャージシェア電圧に最も近い電圧に対応する階調値である。例えば、ノーマリホワイトの液晶パネル１の場合、ＰＤＡＣ４１からはＭＳＢに対応したＶＰ６３が出力され、ＮＤＡＣ４２からはＭＳＢに対応した階調電圧ＶＮ６３が出力される。従って、ＰＤＡＣ４１、及びＮＤＡＣ４２からは、それぞれの極性の中でチャージシェア電圧に最も近い電圧が出力される。
【００３８】
極性反転信号ＰＯＬ＝Ｈの時、出力選択スイッチＳＷ４５は、正極Ａｍｐ４３の出力を偶数出力Ｓｎ側に接続し、負極Ａｍｐ４４の出力を奇数出力Ｓｎ＋１側に接続する。データ出力タイミング信号ＳＴＢ＝Ｈの時、チャージシェア期間となるため、出力スイッチＳＷ４６のスイッチはＯＦＦ、チャージシェアスイッチＳＷ４７のスイッチはＯＮとなっている。このとき、正極Ａｍｐ４３、及び負極Ａｍｐ４４の出力は、チャージシェア電圧に最も近い階調電圧に遷移する。
【００３９】
一方、偶数出力Ｓｎと奇数出力Ｓｎ＋１はショートされ、ともに共通線６に接続されるため、チャージシェア電圧（ＶＤＤ２の１／２）となる。この時の状態は、期間１のように、正極Ａｍｐ４３の出力と、偶数出力Ｓｎの電圧はほぼ同じとなる。負極Ａｍｐ４４の出力と、奇数出力Ｓｎ＋１の電圧はほぼ同じとなる。
【００４０】
次に、極性反転信号ＰＯＬ＝Ｈ，データ出力タイミング信号ＳＴＢ＝Ｌに変化した時、すなわち、データ出力タイミング信号ＳＴＢが立ち下がって、期間１から期間２に切り替わるタイミングについて考える。このとき、出力スイッチＳＷ４６のスイッチはＯＮ、チャージシェアスイッチＳＷ４７のスイッチはＯＦＦとなる。従って、出力スイッチＳＷ４６を介して、正極Ａｍｐ４３の出力は、偶数出力Ｓｎに接続され、負極Ａｍｐ４４の出力は奇数出力Ｓｎ＋１に接続される。なお、出力選択スイッチＳＷ４５の状態は期間１から変化していない。
【００４１】
データ出力タイミング信号ＳＴＢがＬに変化したため、データ選択回路ＳＥＬ４８は、表示用の階調データＤＰ［５：０］を選択して出力する。従って、ＰＤＡＣ４１は、任意の階調データＤＰ［５：０］に応じた階調電圧（ＶＰ０〜ＶＰ６３）を正極Ａｍｐ４３に出力する。偶数出力Ｓｎは、正極Ａｍｐ４３の出力電圧の変化に伴って、表示用の階調データＤＰ［５：０］に応じた階調電圧まで上昇する。同様に、データ選択回路ＳＥＬ４９は、表示用の階調データＤＮ［５：０］を選択して出力する。よって、ＮＤＡＣ４２は、任意の階調データＤＮ［５：０］に応じた階調電圧（ＶＮ０〜ＶＮ６３）を負極Ａｍｐ４４に出力する。奇数出力Ｓｎ＋１は、負極Ａｍｐ４４の出力電圧の変化に伴って、表示用の階調データＤＮ［５：０］に応じた階調電圧まで下降する。このときの状態は、期間２に示すようになる。
【００４２】
以上のように、本実施形態では、チャージシェア期間終了時において、アンプ出力がチャージシェア電圧に近い電圧に遷移している。このため、アンプ出力と駆動回路５の出力電圧がほぼ同じ電圧となる。チャージシェア期間終了時に、アンプ出力電圧と駆動回路の出力電圧に差が生じない。これにより、アンプ出力電圧の上昇及び下降に伴って、負荷の充電が緩やかに行われる。よって、図４に示すように、ラッシュ電流が抑えられるため、電源電圧や液晶パネルの対向電極電圧ＶＣＯＭの変動を低減することができる。これにより、表示品質の劣化を抑制することができ、表示品質の高い表示装置を得ることができる。
【００４３】
なお、上記の説明では、チャージシェア階調データＤＰｃｓ、ＤＮｃｓをＭＳＢ、又はＬＳＢに固定したが、これ以外の値を用いてもよい。すなわち、アンプ出力が、チャージシェア電圧に近い固定電圧となる値のデータをチャージシェア階調データＤＰｃｓ、ＤＮｃｓとして用いることができる。具体的には、ノーマリーホワイトの液晶パネル１の場合、上位のビットがＭＳＢと同じになるデータであればよい。例えば、階調データが６ビットの場合、上位４ビットが"１１１１"であれば、下位２ビットの値は特に限定されない。このようにしても、チャージシェア電圧に近い固定電圧とすることができる。すなわち、全階調電圧範囲の中である電圧よりもチャージシェア電圧に近い電圧を供給することができる。また、ノーマリーブラックの液晶パネル１の場合、上位のビットがＬＳＢと同じデータであればよい。例えば、階調データが６ビットの場合、上位４ビットが"００００"であれば、下位２ビットの値は特に限定されない。なお、ＭＳＢ、又はＬＳＢと同じにする上位ビット数は、４ビットに限られるものではない。また、固定電圧は、表示用の階調データＤＰ［５：０］、ＤＮ［５：０］に対応する階調電圧に依存しない電圧であり、複数のチャージシェア期間で一定となっている。よって、固定電圧は、次のライン及びフレームのチャージシェア期間における固定電圧と同じになっている。この固定電圧は、表示用の階調データＤＰ［５：０］、ＤＮ［５：０］に応じた階調電圧とは無相関の一定の電圧となっている。
【００４４】
なお、本実施の形態では、データ選択回路ＳＥＬ４８、４９がＤＡＣ（デジタル−アナログコンバータ）の前段にあるため、低電源電圧で動作する低圧回路とすることができる。すなわち、データを制御するための低圧回路を追加するだけで、表示品質の劣化を低減することができる。さらに、一般にレイアウト面積の大きい高圧回路（電源電圧が高い回路）の追加が不要であるため、面積的な影響は少ない。すなわち、回路規模の増大を抑制することができる。
【００４５】
なお、全データを一斉に変化させることによるＥＭＩ等の懸念がある場合、適当な出力数毎に微小な時間ずらせばよい。すなわち、時間的に微小なずらし期間を設けて、一定数の出力毎にデータを変化させる回路を付加すればよい。
【００４６】
また、極性反転信号ＰＯＬ＝Ｌのとき、正極Ａｍｐ５３が奇数出力Ｓｎ＋１に接続され、負極Ａｍｐ５４が奇数出力Ｓｎ＋１に接続されるように、出力選択スイッチＳＷ４５が動作する。チャージシェアの基本的な動作は、上記の動作と同様であるため、詳細な説明を省略する。
【００４７】
実施の形態２．
本実施形態にかかる駆動回路について、図５を用いて説明する。図５は、駆動回路の構成を示す図である。本実施の形態では、図１２で示した回路構成に、データ選択回路ＳＥＬ３８、データ選択回路ＳＥＬ３９を追加した構成となっている。従って、実施の形態１の出力選択スイッチＳＷ４５の代わりに、アンプ入力選択スイッチＳＷ３５が設けられている。すなわち、実施の形態１では、出力選択スイッチＳＷ４５がアンプの出力側に設けられていたのに対して、本実施形態では、アンプ入力選択スイッチＳＷ３５がアンプの入力側に配置されている。このような回路構成であっても、実施の形態１と同様の効果を得ることができる。なお、その他の構成については、図１３の駆動回路、又は実施の形態１の駆動回路と同様であるため、適宜説明を省略する。
【００４８】
本実施の形態にかかる駆動回路５の動作波形は図６に示すようになる。本実施の形態では、正／負に関わらず、偶数出力Ｓｎには、偶数用アンプ３３を使用し、奇数出力Ｓｎ＋１には、奇数用Ａｍｐ３４を使用している。これにより、駆動電圧の偏差を小さくすることができ、画質をより高くすることができる。よって画質の高い駆動が可能となる。
【００４９】
実施の形態３．
本実施の形態にかかる駆動装置について、図７を用いて説明する。図７は、駆動回路５の構成を示す図である。本実施の形態では、実施の形態１の駆動回路において、アンプの電源電圧を半分にしている。すなわち、正極Ａｍｐ６３の電源をＶＤＤ２とＶＤＤ２の１／２とで構成し、負極Ａｍｐ６４の電源をＶＤＤ２の１／２とＶＳＳで構成している。正極Ａｍｐ６３の下側電源と負極Ａｍｐ６４の上側電源がＶＤＤ２の１／２で同じとなっている。このような構成であっても実施の形態１と同様の効果を得ることができる。なお、本実施の形態では、その他の構成については、図１０の駆動回路、又は実施の形態１の駆動回路と同様であるため、適宜説明を省略する。
【００５０】
本実施の形態では、各アンプの電源電圧を半分にしているため、駆動回路５としての消費電力を削減することができる。たとえば、正極アンプの下側電源をＶＢＯＴ（＝ＶＤＤ２の１／２）、負極アンプの上側電源をＶＴＯＰ(＝ＶＤＤ２の１／２)とする。液晶パネル１がノーマリーホワイトの場合、ガンマのＶＰ６３、ＶＮ６３電圧は一般的にＶＢＯＴ＋０．２Ｖ、ＶＴＯＰ−０．２Ｖ付近に設定する。チャージシェア期間において、単純に１／２ＶＤＤ２の電圧をアンプに入力すると、両アンプとも出力がＶＴＯＰ、ＶＢＯＴに張り付くことになってしまうため、信頼性上好ましくない。そこで、本実施の形態では、チャージシェア期間中のデータを固定するためのデータ選択回路ＳＥＬ６８、６９を設け、チャージシェア期間中の入力データをＭＳＢに固定している。これにより、表示品質の劣化を防ぐことができ、信頼性を向上することができる。
【００５１】
実施の形態４．
本実施の形態にかかる駆動回路について図８を用いて説明する。図８は、駆動回路５の構成を示す図である。図１０で示した駆動回路に、アンプ入力選択回路ＳＥＬ５８、５９を追加した構成となっている。本実施の形態では、実施の形態１の駆動回路５のデータ選択回路ＳＥＬ４８、４９の代わりに、アンプ入力選択回路ＳＥＬ５８、５９を追加した構成となっている。すなわち、本実施の形態では、データ選択回路ＳＥＬ４８、データ選択回路ＳＥＬ４９が取り除かれた構成となっている。さらに、ＰＤＡＣ５１と正極Ａｍｐ５３の間に、アンプ入力選択回路ＳＥＬ５８が設けられ、ＮＤＡＣ５２と負極Ａｍｐ５４の間にアンプ入力選択回路ＳＥＬ５９が設けられている。なお、上記の実施の形態と同様の内容については、適宜説明を省略する。
【００５２】
アンプ入力選択回路ＳＥＬ５８には、ＰＤＡＣ５１で選択された階調電圧ＶＰ、及びチャージシェア用の固定電圧ＶＰｃｓが入力されている。アンプ入力選択回路ＳＥＬ５８は、スイッチを有する回路であり、データ出力タイミング信号ＳＴＢに応じて、出力を切り替える。アンプ入力選択回路ＳＥＬ５８は、例えば、データ出力タイミング信号ＳＴＢがＨのとき、固定電圧ＶＰｃｓを選択して出力し、データ出力タイミング信号ＳＴＢがＬのとき、階調電圧ＶＰを選択して出力する。アンプ入力選択回路ＳＥＬ５８から出力された階調電圧ＶＰ、又は固定電圧ＶＰｃｓは、正極Ａｍｐ５３に入力される。なお、固定電圧ＶＰｃｓはチャージシェア電圧、又はそれに近い電圧である。すなわち、固定電圧ＶＰｃｓは、実施の形態１において、チャージシェア階調データＤＰｃｓによってＰＤＡＣ４１が選択した階調電圧に相当する。
【００５３】
アンプ入力選択回路ＳＥＬ５９には、ＮＤＡＣ５２で選択された階調電圧ＶＮ、及びチャージシェア用の固定電圧ＶＮｃｓが入力されている。アンプ入力選択回路ＳＥＬ５９は、スイッチを有する回路であり、データ出力タイミング信号ＳＴＢに応じて、出力を切り替える。アンプ入力選択回路ＳＥＬ５９は、例えば、データ出力タイミング信号ＳＴＢがＨのとき、固定電圧ＶＮｃｓを選択して出力し、データ出力タイミング信号ＳＴＢがＬのとき、階調電圧ＶＮを選択して出力する。アンプ入力選択回路ＳＥＬ５９から出力された階調電圧ＶＮ、又は固定電圧ＶＮｃｓは、負極Ａｍｐ５４に入力される。なお、固定電圧ＶＮｃｓはチャージシェア電圧、又はそれに近い電圧である。すなわち、固定電圧ＶＮｃｓは、実施の形態１において、チャージシェア階調データＤＮｃｓによってＮＤＡＣ４２が選択した階調電圧に相当する。
【００５４】
次に、本実施形態にかかる駆動回路５の動作に付いて説明する。今、極性反転信号ＰＯＬ＝Ｈ、データ出力タイミング信号ＳＴＢ＝Ｈの時を考える。ＰＤＡＣ５１は、タイミングコントローラ等から入力された階調データＤＰ［５：０］に応じた階調電圧ＶＰ０〜ＶＰ６３を選択する。ＰＤＡＣ５１は、選択した階調電圧ＶＰをアンプ入力選択回路ＳＥＬ５８に出力する。同様に、ＮＤＡＣ５２は、タイミングコントローラ等から入力された階調データＤＮ［５：０］に応じた階調電圧ＶＮ０〜ＶＮ６３を選択する。ＮＤＡＣ５２は、選択した階調電圧ＶＮをアンプ入力選択回路ＳＥＬ５９に出力する。
【００５５】
データ出力タイミング信号ＳＴＢ＝Ｈのとき、アンプ入力選択回路ＳＥＬ５８、５９は、それぞれ、固定電圧ＶＰｃｓ、ＶＮｃｓを選択する。選択された固定電圧ＶＰｃｓ、Ｖｎｃｓは、それぞれ正極Ａｍｐ５３、負極Ａｍｐ５４に出力される。
【００５６】
極性反転信号ＰＯＬ＝Ｈのとき、出力選択スイッチＳＷ５５は、正極Ａｍｐ５３の出力を偶数出力Ｓｎに接続し、負極Ａｍｐ５４の出力を奇数出力Ｓｎ＋１に接続する。データ出力タイミング信号ＳＴＢ＝Ｈのとき、出力スイッチＳＷ５６のスイッチはＯＦＦとなり、チャージシェアスイッチＳＷ５７のスイッチはＯＮとなっている。これにより、チャージシェア期間となり、負荷に蓄積していた電荷が回収される。このとき、正極Ａｍｐ５３、負極Ａｍｐ５４にはそれぞれ、固定電圧ＶＰｃｓ、ＶＮｃｓが入力される。このため、正極Ａｍｐ５３、負極Ａｍｐ５４の出力は、チャージシェア電圧、又はそれに近い電圧に遷移する。
【００５７】
次に、極性反転信号ＰＯＬ＝Ｈ、データ出力タイミング信号ＳＴＢ＝Ｌに変化した時を考える。出力スイッチＳＷ５６のスイッチはＯＮ、チャージシェアスイッチＳＷ５７のスイッチはＯＦＦとなる。これにより、出力スイッチＳＷ５６、及び出力選択スイッチＳＷ５５を介して、正極Ａｍｐ５３の出力は偶数出力Ｓｎに接続され、負極Ａｍｐ５４の出力は奇数出力Ｓｎ＋１に出力される。
【００５８】
また、アンプ入力選択回路ＳＥＬ５８は、階調データＤＰ［５：０］に対応する階調電圧ＶＰを選択している。これにより、正極Ａｍｐ５３には、階調データＤＰ［５：０］に対応する階調電圧ＶＰが入力されている。よって、偶数出力Ｓｎは、正極Ａｍｐ５３の出力電圧の変化に伴って、階調電圧ＶＰまで上昇する。アンプ入力選択回路ＳＥＬ５９は、階調データＤＮ［５：０］に対応する階調電圧ＶＮを選択している。これにより、負極Ａｍｐ５４には、階調データＤＮ［５：０］に対応する階調電圧ＶＮが入力されている。よって、奇数出力Ｓｎ＋１は、負極Ａｍｐ５４の出力電圧の変化に伴って、階調電圧ＶＮまで下降する。これにより、所望の画像が表示される。
【００５９】
本実施の形態では、ＤＡＣに固定のチャージシェア階調データＤＰｃｓ、ＤＮｃｓを供給せずに、固定電圧ＶＰｃｓ、ＶＮｃｓをＤＡＣの後段に供給する構成としている。本実施形態においても、実施の形態１と同様の効果を得ることができる。固定電圧ＶＰｃｓ、ＶＮｃｓは、チャージシェア電圧（ＶＤＤ２の１／２）としてもよく、チャージシェア電圧に最も近い階調電圧（ＭＳＢ又はＬＳＢ）としてもよい。あるいは、チャージシェア電圧に最も近い階調電圧に対応する階調データと上位ビットが同じ値の階調データに対応する階調電圧でもよい。
【００６０】
なお、本実施の形態では図１０で示した駆動回路に対して、アンプ入力選択回路ＳＥＬ５８、５９に追加した構成となっているが、図１２で示した駆動回路に対して、アンプ入力選択回路ＳＥＬ５８、５９に追加した構成としてもよい。この場合、アンプ入力選択回路ＳＥＬ５８、５９はアンプ入力選択スイッチＳＷ２５の前段に配置される構成となる。
または、アンプ入力選択回路ＳＥＬ５８、５９をアンプ入力選択スイッチＳＷ２５に組み込んでも良い。特に、固定電圧ＶＰｃｓ、ＶＮｃｓに同じチャージシェア電圧（ＶＤＤ２の１／２）を使用する場合は、アンプ入力選択スイッチＳＷ２５で正極Ａｍｐ２３の入力端子と負極Ａｍｐ２４の入力端子をショートして、ＶＤＤ２の１／２の電源に接続する。  
【００６１】
実施の形態５．
本実施の形態にかかる駆動回路について図９を用いて説明する。図９は、駆動回路５の構成を示す図である。本実施の形態では、実施の形態１で示した駆動回路５に対して、データ評価回路８０、８１が追加された構成となっている。データ評価回路８０は、データ出力タイミング信号ＳＴＢ及び階調データＤＰ［５：０］に応じて、データ選択回路ＳＥＬ７８を制御する。データ評価回路８１は、データ出力タイミング信号ＳＴＢ及び階調データＤＮ［５：０］に応じて、データ選択回路ＳＥＬ７９を制御する。
【００６２】
具体的には、データ評価回路８０は、表示用の階調データＤＰ［５：０］と予め設定された階調しきい値を比較して、比較結果をデータ選択回路ＳＥＬ７８に出力する。そして、データ選択回路ＳＥＬ７８は、その比較結果によって、階調データＤＰ及びチャージシェア階調データＤＰｃｓの一方を選択する。これにより、データ出力タイミング信号ＳＴＢ＝Ｈの時であっても、階調データＤＰが選択される場合がある。具体的には、データ選択回路ＳＥＬ７８は、階調データＤＰ［５：０］に応じた階調電圧がチャージシェア電圧に近い場合、階調データＤＰ［５：０］を選択し、階調データＤＰ［５：０］に応じた階調電圧がチャージシェア電圧から大きく異なっている場合でデータ出力タイミング信号ＳＴＢ＝Ｈの時、チャージシェア階調データＤＰｃｓ［５：０］を選択する。従って、ＰＤＡＣ７１の出力電圧がしきい値となる階調データの時の階調電圧よりも大きくなるデータ出力タイミング信号ＳＴＢ＝Ｈの場合だけ、データ評価回路８０がデータ選択回路ＳＥＬ７８を制御して、ＤＰｃｓ［５：０］を選択させる。このしきい値は、表示装置に応じて実験的に決めた値としても良い。
【００６３】
また、データ評価回路８１も、同様にしきい値と階調データＤＮ［５：０］を比較して、その比較結果に応じてデータ選択回路ＳＥＬ７９を制御する。従って、データ選択回路ＳＥＬ７９は、階調データＤＮ［５：０］に応じた階調電圧がチャージシェア電圧に近い場合、階調データＤＮ［５：０］を選択し、階調データＤＮ［５：０］に応じた階調電圧がチャージシェア電圧から大きく異なっている場合でデータ出力タイミング信号ＳＴＢ＝Ｈの時、チャージシェア階調データＤＮｃｓ［５：０］を選択する。
【００６４】
これにより、表示用の階調データＤＰ［５：０］、ＤＮ［５：０］がそれぞれチャージシェア階調データに近い場合には、上記ように、チャージシェア期間においても、階調データＤＰ［５：０］、階調データＤＮ［５：０］が選択される。これにより、出力が安定する時間を必要以上に長くするのを防ぐことができる。なお、本実施の形態にかかる駆動回路５のデータ評価回路８０、８１を、実施の形態２〜４で示した駆動回路５に追加しても良い。
【００６５】
その他の実施の形態．
【００６６】
上記の駆動回路では、ＰＤＡＣ３１、４１、５１、６１、７１が正極ＤＡＣ回路となり、ＮＤＡＣ３２、４２、５２、６２、７２が負極ＤＡＣ回路となっている。正極ＤＡＣ回路は、階調データに応じて正極階調電圧を選択し、負極ＤＡＣ回路は、階調データに応じて負極階調電圧を選択する。
【００６７】
正極Ａｍｐ４３、正極Ａｍｐ５３、正極Ａｍｐ６３、正極Ａｍｐ７３が正極のアンプ回路となり、負極Ａｍｐ４４、負極Ａｍｐ５４、負極Ａｍｐ６４、負極Ａｍｐ７４は、負極のアンプ回路となる。偶数用Ａｍｐ３３は、偶数出力用のアンプ回路となり、奇数用Ａｍｐ３４は、奇数出力用のアンプ回路となる。
【００６８】
また、アンプ入力選択スイッチＳＷ３５、出力選択スイッチＳＷ４５、出力選択スイッチＳＷ５５、出力選択スイッチＳＷ６５、及び出力選択スイッチＳＷ７５は正負反転回路となる。正負反転回路は、第１のデータ線群に正極階調電圧を供給し第２のデータ線群に負極階調電圧を供給する第１の動作と、第２のデータ線群に正極階調電圧を供給し第１のデータ線群に負極階調電圧を供給する第２の動作と、を切り替える
【００６９】
出力スイッチＳＷ３６、出力スイッチＳＷ４６、出力スイッチＳＷ５６、出力スイッチＳＷ６６、出力スイッチＳＷ７６がアンプ出力遮断回路となっている。アンプ出力遮断回路は、正負のアンプ出力と前記データ線とが非接続となるように切り替える。
【００７０】
チャージシェアスイッチＳＷ３７、チャージシェアスイッチＳＷ４７、チャージシェアスイッチＳＷ５７、チャージシェアスイッチＳＷ６７、チャージシェアスイッチＳＷ７７がチャージシェア回路となっている。チャージシェア回路は、切替期間において、前記第１のデータ線群のデータ線と第２のデータ線群のデータ線をショートする。
【００７１】
データ選択回路ＳＥＬ３８、３９、データ選択回路ＳＥＬ４８、４９アンプ入力選択回路ＳＥＬ５８、５９、データ選択回路ＳＥＬ６８、６９、データ選択回路ＳＥＬ７８、７９がチャージシェア期間において、アンプの入力を切り替えるアンプ入力切替回路となっている。
【００７２】
上記の実施の形態１乃至５を適宜組み合わせて用いることも可能である。さらに、実施の形態１乃至５にかかる駆動回路５は、液晶パネル１以外の表示パネルについても利用することができる。
【符号の説明】
【００７３】
１  液晶パネル
２  データ線
３  データ線
５  駆動回路
６  共通線
１１  ＰＤＡＣ
１２  ＮＤＡＣ
１３  正極Ａｍｐ
１４  負極Ａｍｐ
１５  出力選択スイッチ回路ＳＷ
１６  出力スイッチＳＷ
１７  チャージシェアスイッチＳＷ
２１  ＰＤＡＣ
２２  ＮＤＡＣ
２３  偶数用Ａｍｐ
２４  奇数用Ａｍｐ
２５  アンプ入力選択スイッチＳＷ
２６  出力スイッチＳＷ
２７  チャージシェアスイッチＳＷ
３１  ＰＤＡＣ
３２  ＮＤＡＣ
３３  偶数用Ａｍｐ
３４  奇数用Ａｍｐ
３５  アンプ入力選択スイッチＳＷ
３６  出力スイッチＳＷ
３７  チャージシェアスイッチＳＷ
３８  データ選択回路ＳＥＬ
３９  データ選択回路ＳＥＬ
４１  ＰＤＡＣ
４２  ＮＤＡＣ
４３  正極Ａｍｐ
４４  負極Ａｍｐ
４５  出力選択スイッチＳＷ
４６  出力スイッチＳＷ
４７  チャージシェアスイッチＳＷ
４８  データ選択回路ＳＥＬ
４９  データ選択回路ＳＥＬ
５１  ＰＤＡＣ
５２  ＮＤＡＣ
５３  正極Ａｍｐ
５４  負極Ａｍｐ
５５  出力選択スイッチＳＷ
５６  出力スイッチＳＷ
５７  チャージシェアスイッチＳＷ
５８  アンプ入力選択回路ＳＥＬ
５９  アンプ入力選択回路ＳＥＬ
６１  ＰＤＡＣ
６２  ＮＤＡＣ
６３  正極Ａｍｐ
６４  負極Ａｍｐ
６５  出力選択スイッチＳＷ
６６  出力スイッチＳＷ
６７  チャージシェアスイッチＳＷ
６８  データ選択回路ＳＥＬ
６９  データ選択回路ＳＥＬ
７１  ＰＤＡＣ
７２  ＮＤＡＣ
７３  正極Ａｍｐ
７４  負極Ａｍｐ
７５  出力選択スイッチＳＷ
７６  出力スイッチＳＷ
７７  チャージシェアスイッチＳＷ
７８  データ選択回路ＳＥＬ
７９  データ選択回路ＳＥＬ
８０  データ評価回路
８１  データ評価回路
ＤＰ  階調データ
ＤＮ  階調データ
ＤＰｃｓ  チャージシェア階調データ
ＤＮｃｓ  チャージシェア階調データ
ＶＰ  階調電圧
ＶＮ  階調電圧
ＶＰｃｓ  固定電圧
ＶＮｃｓ  固定電圧
ＰＯＬ  極性反転信号
ＳＴＢ  データ出力タイミング信号
Ｓｎ  偶数出力
Ｓｎ＋１  奇数出力
【図１】
2012008197.tif 000003
【図２】
2012008197.tif 000004
【図３】
2012008197.tif 000005
【図４】
2012008197.tif 000006
【図５】
2012008197.tif 000007
【図６】
2012008197.tif 000008
【図７】
2012008197.tif 000009
【図８】
2012008197.tif 000010
【図９】
2012008197.tif 000011
【図１０】
2012008197.tif 000012
【図１１】
2012008197.tif 000013
【図１２】
2012008197.tif 000014
【図１３】
2012008197.tif 000015
【図１４】
2012008197.tif 000016